(57)【要約】【課題】簡単な操作で複数種類の情報を同時に確認することができる調節計を提供する。【解決手段】調節計は、操作部２１ａ，２１ｂに対するユーザの操作に応じた画面を表示部２０ａ，２０ｂに表示する表示画面作成部１４１，１４２と、表示部２０ａ，２０ｂに表示されている画面のうち対応する操作部がユーザの操作対象となった側における画面の切り替えに対して、対応する操作部が操作対象となっていない連動側の画面を切り替えるように連動側の表示画面作成部を制御する連動表示制御部１４３とを備える。操作対象となった側の表示画面作成部は、対応する操作部に対するユーザの操作に応じて対応する表示部に設定画面を表示する。連動表示制御部１４３は、設定画面に表示されているパラメータの最新の設定状況に対応する応答画面を連動側の表示部に表示させるように連動側の表示画面作成部を制御する。【選択図】  図１
2019049923.tif 000002
【特許請求の範囲】
【請求項１】
測定したプロセス量に基づいて制御出力値を算出するように構成された制御演算部と、
情報表示のための第１、第２の表示部と、
前記第１、第２の表示部毎に設けられた第１、第２の操作部と、
前記第１の操作部に対するユーザの操作に応じた画面を前記第１の表示部に表示するように構成された第１の表示画面作成部と、
前記第２の操作部に対するユーザの操作に応じた画面を前記第２の表示部に表示するように構成された第２の表示画面作成部と、
前記第１、第２の表示部に表示されている画面のうち対応する前記操作部がユーザの操作対象となった側における画面の切り替えに対して、前記第１、第２の表示部に表示されている画面のうち対応する前記操作部が前記操作対象となっていない連動側の画面を切り替えるように連動側の前記表示画面作成部を制御するように構成された連動表示制御部とを備え、
前記第１、第２の表示画面作成部のうち前記操作対象となった側の表示画面作成部は、対応する前記操作部に対するユーザの設定画面呼出操作に応じて対応する前記表示部に設定画面を表示し、対応する前記操作部に対するユーザのパラメータ設定変更操作に応じて対応する前記表示部にパラメータ設定変更後の設定画面を表示し、
前記連動表示制御部は、前記設定画面に表示されているパラメータの最新の設定状況に対応する応答画面を連動側の前記表示部に表示させるように連動側の前記表示画面作成部を制御することを特徴とする調節計。
【請求項２】
請求項１記載の調節計において、
前記第１、第２の操作部のうちいずれか一方が前記操作対象として予め定められ、前記操作対象として定められていない側の操作部に対応する前記表示部と前記表示画面作成部とが前記連動側として予め定められていることを特徴とする調節計。
【請求項３】
請求項１記載の調節計において、
前記第１、第２の表示画面作成部は、初期状態において前記第１、第２の表示部に同一の初期画面を表示し、
前記連動表示制御部は、前記初期状態において前記第１、第２の操作部のうちいずれか一方が最初に前記操作対象となったときに、前記操作対象となっていない側の操作部に対応する前記表示部と前記表示画面作成部とを前記連動側として定めることを特徴とする調節計。
【発明の詳細な説明】
【技術分野】
【０００１】
本発明は、プロセス量を制御する調節計に関するものである。
【背景技術】
【０００２】
温度、圧力、流量といったプロセス量を使用者が指示した設定値に制御するための装置として調節計が知られている。
調節計は、１つの制御盤に表示部が外部から視認可能に取り付けられると共に、本体部が制御盤内に収容された状態で複数個設置されて使用される場合が多く、設置スペースの制約から表示部のスペースは非常に狭くなっている。図９の例では、調節計の本体部１００と表示部１０１とがケーブル１０２を介して接続されている例を示している。
【０００３】
一方、装置としての高機能化や表示部での表示の見易さが求められており、表示部をタッチパネル機能付き液晶表示部とし、タッチパネルに対するユーザの操作を受け付け、この操作に応じた画面に切り替えて表示することができる調節計が提案されている（特許文献１参照）。
【０００４】
このような調節計では、小さい画面に一度に表示できる情報が限られるため、ユーザは上記のように画面切り替え操作を行い、必要な情報を得る。しかしながら、従来の調節計では、１つの画面で多数の情報を確認することができず、また画面切り替えの操作を覚える必要がある、といった操作性の問題点があった。
【０００５】
例えば図１０（Ａ）に示すように表示部１０１に表示されたグラフ画面中の折線グラフ１０３の縦軸の下限値および上限値を設定するとき、データに基づいてプロットされた点を確認したいときがある。この場合、ユーザは、設定ボタン１０４に触れて、図１０（Ｂ）に示す設定画面に切り替え、さらにグラフボタン１０５に触れて、図１１（Ａ）に示すグラフ設定画面に切り替える。このグラフ設定画面においては、折線グラフ１０３の縦軸の下限値が１０６の欄に表示され、縦軸の上限値が１０７の蘭に表示されており、ユーザがこれらの値を変更する操作を行うと、グラフ設定画面は図１１（Ｂ）のようになる。図１１（Ｂ）の例では、折線グラフ１０３の縦軸の下限値が−１０００．０から２００．００に変更され、縦軸の上限値が２０００．０から８００．００に変更されている。
【０００６】
そして、ユーザがグラフ設定画面のクローズボタン１０８（×印のボタン）に触れると、図１２（Ａ）に示す設定画面に戻る。最後に、ユーザがグラフボタン１０５に触れると、図１２（Ｂ）に示すグラフ画面に戻り、このグラフ画面に、縦軸の下限値および上限値が変更された後の折線グラフ１０３が表示される。
このように、従来の調節計では、例えばデータの折線グラフと、この折れ線グラフの軸の下限値および上限値を１つの画面で同時に確認することはできない。
【０００７】
調節計の本体部に複数の表示部を接続して配置すれば、複数種類の情報を同時に確認することが可能となるが、複数の表示部の操作が煩雑になるという問題点がある。例えば図１３の例では、本体部１００に２台の表示部１０１ａ，１０１ｂを接続している。この例では、表示部１０１ａにグラフ設定画面を表示させ、表示部１０１ｂにグラフ画面を表示させる、といった２つの操作が必要となる。
【先行技術文献】
【特許文献】
【０００８】
【特許文献１】特開２０１７−９１１２３号公報
【発明の概要】
【発明が解決しようとする課題】
【０００９】
本発明は、上記課題を解決するためになされたもので、複数台の表示部を本体部に接続する構成において、簡単な操作で複数種類の情報を同時に確認することができる調節計を提供することを目的とする。
【課題を解決するための手段】
【００１０】
本発明の調節計は、測定したプロセス量に基づいて制御出力値を算出するように構成された制御演算部と、情報表示のための第１、第２の表示部と、前記第１、第２の表示部毎に設けられた第１、第２の操作部と、前記第１の操作部に対するユーザの操作に応じた画面を前記第１の表示部に表示するように構成された第１の表示画面作成部と、前記第２の操作部に対するユーザの操作に応じた画面を前記第２の表示部に表示するように構成された第２の表示画面作成部と、前記第１、第２の表示部に表示されている画面のうち対応する前記操作部がユーザの操作対象となった側における画面の切り替えに対して、前記第１、第２の表示部に表示されている画面のうち対応する前記操作部が前記操作対象となっていない連動側の画面を切り替えるように連動側の前記表示画面作成部を制御するように構成された連動表示制御部とを備え、前記第１、第２の表示画面作成部のうち前記操作対象となった側の表示画面作成部は、対応する前記操作部に対するユーザの設定画面呼出操作に応じて対応する前記表示部に設定画面を表示し、対応する前記操作部に対するユーザのパラメータ設定変更操作に応じて対応する前記表示部にパラメータ設定変更後の設定画面を表示し、前記連動表示制御部は、前記設定画面に表示されているパラメータの最新の設定状況に対応する応答画面を連動側の前記表示部に表示させるように連動側の前記表示画面作成部を制御することを特徴とするものである。
【００１１】
また、本発明の調節計の１構成例は、前記第１、第２の操作部のうちいずれか一方が前記操作対象として予め定められ、前記操作対象として定められていない側の操作部に対応する前記表示部と前記表示画面作成部とが前記連動側として予め定められていることを特徴とするものである。
また、本発明の調節計の１構成例において、前記第１、第２の表示画面作成部は、初期状態において前記第１、第２の表示部に同一の初期画面を表示し、前記連動表示制御部は、前記初期状態において前記第１、第２の操作部のうちいずれか一方が最初に前記操作対象となったときに、前記操作対象となっていない側の操作部に対応する前記表示部と前記表示画面作成部とを前記連動側として定めることを特徴とするものである。
【発明の効果】
【００１２】
本発明によれば、連動表示制御部が、設定画面に表示されているパラメータの最新の設定状況に対応する応答画面を連動側の表示部に表示させるように連動側の表示画面作成部を制御するので、オペレータは、設定画面に表示される情報と、応答画面に表示される情報という複数種類の情報を、簡単な操作で同時に確認することが可能となる。
【図面の簡単な説明】
【００１３】
【図１】図１は、本発明の第１の実施例に係る調節計の構成を示すブロック図である。
【図２】図２は、本発明の第１の実施例に係る調節計の画面表示動作を説明するフローチャートである。
【図３】図３は、本発明の第１の実施例に係る調節計の初期画面を示す図である。
【図４】図４は、本発明の第１の実施例においてユーザの呼出操作に応じて表示された設定画面、および設定画面に連動して表示された応答画面を示す図である。
【図５】図５は、本発明の第１の実施例においてユーザの設定変更操作に応じて表示された設定画面、および設定画面に連動して表示された応答画面を示す図である。
【図６】図６は、本発明の第２の実施例に係る調節計の画面表示動作を説明するフローチャートである。
【図７】図７は、本発明の第２の実施例においてユーザが一方の端末部の操作部を操作した場合の画面切り替えを説明する図である。
【図８】図８は、本発明の第２の実施例においてユーザが他方の端末部の操作部を操作した場合の画面切り替えを説明する図である。
【図９】図９は、従来の調節計の例を示す外観図である。
【図１０】図１０は、従来の調節計における画面切り替えと設定値変更の操作を説明する図である。
【図１１】図１１は、従来の調節計における画面切り替えと設定値変更の操作を説明する図である。
【図１２】図１２は、従来の調節計における画面切り替えと設定値変更の操作を説明する図である。
【図１３】図１３は、調節計の本体部に複数の表示部を接続した例を示す図である。
【発明を実施するための形態】
【００１４】
［第１の実施例］
以下、本発明の実施例について図面を参照して説明する。図１は本発明の第１の実施例に係る調節計の構成を示すブロック図である。調節計は、本体部１と、本体部１に接続された端末部２ａ，２ｂとから構成される。
【００１５】
本体部１は、センサー等からの温度、圧力、流量などのプロセス量の測定値（制御量ＰＶ）のアナログ入力処理を行うアナログ入力部１０と、電流出力、電圧出力などの制御出力を行うアナログ出力部１１と、調節計の機能設定のためのデジタル信号入力処理を行うデジタル入力部１２と、状態情報出力や警報出力のためのデジタル信号出力処理を行うデジタル出力部１３と、測定値（制御量ＰＶ）と設定値とが一致するように制御出力値を算出する制御演算処理、および調節計全体の制御を行う演算部１４と、調節計のプログラムや情報を記憶するための記憶部１５とを備えている。
【００１６】
演算部１４は、プロセス量の測定値と設定値とが一致するように制御出力値（操作量ＭＶ、電流値、電圧値等）を算出する制御演算部１４０と、端末部２ａの操作部に対するユーザの操作に応じた画面を端末部２ａの表示部に表示する表示画面作成部１４１と、端末部２ｂの操作部に対するユーザの操作に応じた画面を端末部２ｂの表示部に表示する表示画面作成部１４２と、端末部２ａ，２ｂの表示部に表示されている画面のうち対応する操作部がユーザの操作対象となった側における画面の切り替えに対して、対応する操作部が操作対象となっていない連動側の画面を切り替えるように連動側の表示画面作成部を制御する連動表示制御部１４３とを備えている。周知のとおり、制御演算部１４０の制御アルゴリズムとしては例えばＰＩＤがある。
【００１７】
端末部２ａ，２ｂは、それぞれ液晶パネル等の表示デバイスからなる表示部２０ａ，２０ｂと、タクトスイッチあるいは液晶パネルに設けられたタッチパネル等の入力デバイスからなる操作部２１ａ，２１ｂとを備えている。
【００１８】
次に、本実施例の調節計の画面表示動作について説明する。図２は調節計の画面表示動作を説明するフローチャートである。
まず、調節計の電源が投入されると、表示画面作成部１４１，１４２は、それぞれ予め定められた初期画面を端末部２ａ，２ｂの表示部２０ａ，２０ｂに表示させる（図２ステップＳ１００）。
【００１９】
本実施例では、端末部２ａの操作部２１ａが操作対象として予め定められ、操作対象として定められている側の表示画面作成部１４１は表示部２０ａに設定画面を表示させ、操作対象として定められていない側の操作部２１ｂに対応する表示部２０ｂと表示画面作成部１４２とが連動側として予め定められている。
【００２０】
そして、図３（Ａ）に示すように表示部２０ａの初期画面はメニュー画面であり、図３（Ｂ）に示すように表示部２０ｂの初期画面はホーム画面である。なお、本実施例では、制御チャンネル数が４チャンネルの調節計の例を示しており、ホーム画面には、４チャンネル分の測定値（制御量ＰＶ）が数値表示されている。
【００２１】
次に、表示画面作成部１４１は、調節計のユーザが端末部２ａの操作部２１ａに対して所望の設定画面を呼び出す操作を行うと（図２ステップＳ１０１においてＹＥＳ）、この操作に応じた設定画面を端末部２ａの表示部２０ａに表示させる（図２ステップＳ１０２）。
【００２２】
具体的には、例えばユーザが制御量ＰＶのグラフの設定を変更するためのグラフ設定画面を呼び出す操作を行ったことにより、図４（Ａ）に示すように表示部２０ａにグラフ設定画面が表示される。グラフ設定画面においては、グラフの縦軸の下限値が２００の欄に表示され、縦軸の上限値が２０１の蘭に表示されている。
【００２３】
一方、連動表示制御部１４３は、ユーザの操作に応じた表示部２０ａの設定画面への表示切り替えに連動して、この設定画面に表示されているパラメータの最新の設定状況に対応する応答画面を端末部２ｂの表示部２０ｂに表示させるよう表示画面作成部１４２を制御する。この連動表示制御部１４３からの指示に応じて、表示画面作成部１４２は応答画面を表示部２０ｂに表示させる（図２ステップＳ１０３）。
【００２４】
ここでは、図４（Ａ）に示したグラフ設定画面に表示されているパラメータ（制御量ＰＶのグラフの縦軸の下限値および上限値）の最新の設定状況に対応する応答画面として、図４（Ｂ）に示すように制御量ＰＶのグラフ２０２を含むグラフ画面が表示部２０ｂに表示される。
【００２５】
次に、表示画面作成部１４１は、ユーザが、設定画面に表示されているパラメータの設定を変更する操作を端末部２ａの操作部２１ａに対して行うと（図２ステップＳ１０４においてＹＥＳ）、設定変更後の設定画面を端末部２ａの表示部２０ａに表示させる（図２ステップＳ１０５）。
【００２６】
例えばユーザが制御量ＰＶのグラフの縦軸の下限値および上限値を変更する操作を行ったことにより、グラフ設定画面は図５（Ａ）のようになる。図５（Ａ）の例では、制御量ＰＶのグラフの縦軸の下限値が−１０００．０から２００．００に変更され、縦軸の上限値が２０００．０から８００．００に変更されている。なお、ステップＳ１０４のパラメータ設定変更に応じて、記憶部１５に記憶されている当該パラメータが更新されることは言うまでもない。
【００２７】
連動表示制御部１４３は、ユーザの操作に応じた表示部２０ａの設定画面の変更に連動して、この変更後の設定画面に表示されているパラメータの最新の設定状況に対応する応答画面を端末部２ｂの表示部２０ｂに表示させるよう表示画面作成部１４２を制御する。この連動表示制御部１４３からの指示に応じて、表示画面作成部１４２は応答画面を表示部２０ｂに表示させる（図２ステップＳ１０６）。
【００２８】
ここでは、図５（Ａ）に示したグラフ設定画面に表示されているパラメータ（制御量ＰＶのグラフの縦軸の下限値および上限値）の最新の設定状況に対応する応答画面として、図５（Ｂ）に示すように、変更後のパラメータに対応する制御量ＰＶのグラフ２０３を含むグラフ画面が表示部２０ｂに表示される。
【００２９】
ユーザによるリセット操作が行われるまで（図２ステップＳ１０７においてＹＥＳ）、設定変更操作が行われる度に、ステップＳ１０５，Ｓ１０６の処理が実行される。
ユーザが端末部２ａの操作部２１ａに対して所定のリセット操作を行うと、表示画面作成部１４１は、表示部２０ａの画面を図３（Ａ）に示した初期画面に戻す。また、連動表示制御部１４３は、ユーザの操作に応じた表示部２０ａの初期画面への表示切り替えに連動して、端末部２ｂの表示部２０ｂに初期画面を表示させるよう表示画面作成部１４２を制御する。この連動表示制御部１４３からの指示に応じて、表示画面作成部１４２は、図３（Ｂ）に示したような初期画面を表示部２０ｂに表示させる。
【００３０】
以上のように、本実施例では、連動表示制御部１４３が、設定画面に表示されているパラメータの最新の設定状況に対応する応答画面を連動側の表示部に表示させるように連動側の表示画面作成部を制御するので、オペレータは、設定画面に表示されるパラメータと、応答画面に表示される制御量ＰＶのグラフという複数種類の情報を、簡単な操作で同時に確認することが可能となる。
【００３１】
なお、制御対象の状況や周囲環境、制御動作中に制御演算部１４０から制御対象に対して出力される制御出力値などに応じて、制御量ＰＶは変動する。したがって、表示画面作成部１４２は、ステップＳ１０３，Ｓ１０６の処理によって表示部２０ｂに表示中の制御量ＰＶのグラフを、例えば表示周期毎に最新の制御量ＰＶに応じて更新することは言うまでもない。
【００３２】
［第２の実施例］
次に、本発明の第２の実施例について説明する。本実施例においても、調節計の構成は第１の実施例と同様なので、図１の符号を用いて説明する。図６は本実施例の調節計の画面表示動作を説明するフローチャートである。
【００３３】
まず、調節計の電源が投入されると、表示画面作成部１４１，１４２は、予め定められた同一の初期画面をそれぞれ端末部２ａ，２ｂの表示部２０ａ，２０ｂに表示させる（図６ステップＳ１００）。本実施例では、連動表示制御部１４３は、初期状態において端末部２ａ，２ｂのうちいずれか一方が最初に操作対象となったときに、操作対象となっていない側の操作部に対応する表示部と表示画面作成部とを連動側として定めるようになっている。
【００３４】
ここでは、ユーザが端末部２ａの操作部２１ａに対して所望の設定画面を呼び出す操作を行った場合について説明する。図７はユーザが操作部２１ａを操作した場合の画面切り替えを説明する図である。図７の例では、ユーザが呼出操作を行う前の時刻ｔ０において、表示部２０ａ，２０ｂには同一の初期画面Ｉ０が表示されている。
【００３５】
表示画面作成部１４１は、ユーザが端末部２ａの操作部２１ａに対して所望の設定画面を呼び出す操作を行うと、この操作に応じた設定画面を端末部２ａの表示部２０ａに表示させる（図６ステップＳ２０３）。この設定画面への表示切り替えに連動した連動表示制御部１４３と表示画面作成部１４２の動作（図６ステップＳ２０４）は、ステップＳ１０３と同様なので、説明は省略する。
【００３６】
図７の例では、ユーザが呼出操作を行った時刻ｔ１において、表示部２０ａに設定画面Ｓ１が表示され、この設定画面Ｓ１に対応して、表示部２０ｂに応答画面Ｒ１が表示される。
【００３７】
次に、表示画面作成部１４１は、ユーザが、設定画面に表示されているパラメータの設定を変更する操作を端末部２ａの操作部２１ａに対して行うと（図６ステップＳ２０５においてＹＥＳ）、設定変更後の設定画面を端末部２ａの表示部２０ａに表示させる（図６ステップＳ２０６）。この設定変更に連動した連動表示制御部１４３と表示画面作成部１４２の動作（図６ステップＳ２０７）は、ステップＳ１０６と同様なので、説明は省略する。
【００３８】
図７の例では、ユーザがパラメータの設定変更操作を行った時刻ｔ２において、表示部２０ａに設定画面Ｓ２が表示され、この設定画面Ｓ２に対応して、表示部２０ｂに応答画面Ｒ２が表示される。
【００３９】
ユーザによるリセット操作が行われるまで（図６ステップＳ２０８においてＹＥＳ）、設定変更操作が行われる度に、ステップＳ２０６，Ｓ２０７の処理が実行される。
図７の例では、ユーザがパラメータの更なる設定変更操作を行った時刻ｔ３において、表示部２０ａに変更後の設定画面Ｓ３が表示され（ステップＳ２０６）、この変更後の設定画面Ｓ３に表示されているパラメータの最新の設定状況に対応する応答画面Ｒ３が表示部２０ｂに表示される（ステップＳ２０７）。
【００４０】
次に、ユーザが端末部２ｂの操作部２１ｂに対して所望の設定画面を呼び出す操作を行った場合について説明する。図８はユーザが操作部２１ｂを操作した場合の画面切り替えを説明する図である。図８の例では、ユーザが呼出操作を行う前の時刻ｔ０において、表示部２０ａ，２０ｂには同一の初期画面Ｉ０が表示されている。
【００４１】
表示画面作成部１４２は、ユーザが端末部２ｂの操作部２１ｂに対して所望の設定画面を呼び出す操作を行うと、この操作に応じた設定画面を端末部２ｂの表示部２０ｂに表示させる（図６ステップＳ２０９）。
連動表示制御部１４３は、表示部２０ｂの設定画面への表示切り替えに連動して、この設定画面に表示されているパラメータの最新の設定状況に対応する応答画面を端末部２ａの表示部２０ａに表示させるよう表示画面作成部１４１を制御する。この連動表示制御部１４３からの指示に応じて、表示画面作成部１４１は応答画面を表示部２０ａに表示させる（図６ステップＳ２１０）。
【００４２】
図８の例では、ユーザが呼出操作を行った時刻ｔ１において、表示部２０ｂに設定画面Ｓ１が表示され、この設定画面Ｓ１に対応して、表示部２０ａに応答画面Ｒ１が表示される。
【００４３】
次に、表示画面作成部１４２は、ユーザが、設定画面に表示されているパラメータの設定を変更する操作を端末部２ｂの操作部２１ｂに対して行うと（図６ステップＳ２１１においてＹＥＳ）、設定変更後の設定画面を端末部２ｂの表示部２０ｂに表示させる（図６ステップＳ２１２）。
連動表示制御部１４３は、表示部２０ｂの設定画面の変更に連動して、この変更後の設定画面に表示されているパラメータの最新の設定状況に対応する応答画面を端末部２ａの表示部２０ａに表示させるよう表示画面作成部１４１を制御する。この連動表示制御部１４３からの指示に応じて、表示画面作成部１４１は応答画面を表示部２０ａに表示させる（図６ステップＳ２１３）。
【００４４】
図８の例では、ユーザがパラメータの設定変更操作を行った時刻ｔ２において、表示部２０ｂに設定画面Ｓ２が表示され、この設定画面Ｓ２に対応して、表示部２０ａに応答画面Ｒ２が表示される。
【００４５】
ユーザによるリセット操作が行われるまで（図６ステップＳ２１４においてＹＥＳ）、設定変更操作が行われる度に、ステップＳ２１２，Ｓ２１３の処理が実行される。
図８の例では、ユーザがパラメータの更なる設定変更操作を行った時刻ｔ３において、表示部２０ｂに変更後の設定画面Ｓ３が表示され（ステップＳ２１２）、この変更後の設定画面Ｓ３に表示されているパラメータの最新の設定状況に対応する応答画面Ｒ３が表示部２０ａに表示される（ステップＳ２１３）。
【００４６】
ユーザが端末部２ａの操作部２１ａに対して所定のリセット操作を行うと（図６ステップＳ２０８においてＹＥＳ）、表示画面作成部１４１は、表示部２０ａの画面を初期画面Ｉ０に戻す。また、連動表示制御部１４３は、この初期画面Ｉ０への表示切り替えに連動して、端末部２ｂの表示部２０ｂに初期画面を表示させるよう表示画面作成部１４２を制御する。この連動表示制御部１４３からの指示に応じて、表示画面作成部１４２は、初期画面Ｉ０を表示部２０ｂに表示させる。
【００４７】
また、ユーザが端末部２ｂの操作部２１ｂに対して所定のリセット操作を行うと（図６ステップＳ２１４においてＹＥＳ）、表示画面作成部１４２は、表示部２０ｂの画面を初期画面Ｉ０に戻す。また、連動表示制御部１４３は、この初期画面Ｉ０への表示切り替えに連動して、端末部２ａの表示部２０ａに初期画面を表示させるよう表示画面作成部１４１を制御する。この連動表示制御部１４３からの指示に応じて、表示画面作成部１４１は、初期画面Ｉ０を表示部２０ａに表示させる。
【００４８】
こうして、本実施例では、操作対象となる側と連動側とを固定しない構成において、第１の実施例と同様の効果を得ることができる。
【００４９】
第１、第２の実施例で説明した調節計は、ＣＰＵ（Central Processing Unit）、記憶装置及びインタフェースを備えたコンピュータと、これらのハードウェア資源を制御するプログラムによって実現することができる。ＣＰＵは、記憶装置に格納されたプログラムに従って第１、第２の実施例で説明した処理を実行する。
【産業上の利用可能性】
【００５０】
本発明は、調節計の情報表示技術に適用することができる。
【符号の説明】
【００５１】
１…本体部、２ａ，２ｂ…端末部、１０…アナログ入力部、１１…アナログ出力部、１２…デジタル入力部、１３…デジタル出力部、１４…演算部、１５…記憶部、２０ａ，２０ｂ…表示部、２１ａ，２１ｂ…操作部、１４０…制御演算部、１４１，１４２…表示画面作成部、１４３…連動表示制御部。
【図１】
2019049923.tif 000003
【図２】
2019049923.tif 000004
【図３】
2019049923.tif 000005
【図４】
2019049923.tif 000006
【図５】
2019049923.tif 000007
【図６】
2019049923.tif 000008
【図７】
2019049923.tif 000009
【図８】
2019049923.tif 000010
【図９】
2019049923.tif 000011
【図１０】
2019049923.tif 000012
【図１１】
2019049923.tif 000013
【図１２】
2019049923.tif 000014
【図１３】
2019049923.tif 000015